(57)【要約】【課題】清掃が面倒となるのが抑えられる流し台シンク装置を提供する。【解決手段】シンク１を備える。シンク１は、後壁部１１の一部が後方に凹み、この凹んだ部分に囲まれて前方および上方に開口する奥ポケット部２を備える。奥ポケット部２は、左右の側壁部２１の上端部に、フランジを有する物品収納部材のフランジが載置される被載置部２２を備える。奥ポケット部２は、左右のいずれか一方または両方の側壁部２１に、側方に凹み、被載置部２２にフランジが載置された物品収納部材が収容される凹所３を備える。凹所３の前壁面３１が、凹所３に収容された物品収納部材の前方への移動を規制する前規制部を構成し、前壁面３１の下部３１ａが、上方を中心とする所定範囲を向くことなく側壁部２１に連続する。【選択図】図１
2015096153.tif 000002
【特許請求の範囲】
【請求項１】
シンクを備え、
前記シンクは、後壁部の一部が後方に凹み、この凹んだ部分に囲まれて前方および上方に開口する奥ポケット部を備え、
前記奥ポケット部は、左右の側壁部の上端部に、フランジを有する物品収納部材の前記フランジが載置される被載置部を備え、
前記奥ポケット部は、左右のいずれか一方または両方の前記側壁部に、側方に凹み、前記被載置部に前記フランジが載置された前記物品収納部材が収容される凹所を備え、
前記凹所の前壁面が、前記凹所に収容された前記物品収納部材の前方への移動を規制する前規制部を構成し、前記前壁面の下部が、上方を中心とする所定範囲を向くことなく前記側壁部に連続することを特徴とする流し台シンク装置。
【請求項２】
前記奥ポケット部は、後方の奥壁部の上端部に、前記物品収納部材の前記フランジが載置される、前方および上方に解放される凹段部を備え、
前記凹段部の奥面が、前記凹所に収容された前記物品収納部材の後方への移動を規制する後規制部を構成することを特徴とする請求項１記載の流し台シンク装置。
【請求項３】
前記前壁面の前記下部が、下方へ行く程後方に位置する傾斜面を備え、
前記傾斜面が、前記凹所に収容された前記物品収納部材の底部を支持する支持部を構成することを特徴とする請求項１または２記載の流し台シンク装置。
【発明の詳細な説明】
【技術分野】
【０００１】
本発明は、流し台シンク装置に関するものである。
【背景技術】
【０００２】
従来、シンクの後壁部の一部が後方に凹み、この凹んだ部分に囲まれて前方および上方に開口する奥ポケット部を備える流し台シンク装置が知られている（例えば特許文献１、特許文献２参照）。
【０００３】
特許文献１や特許文献２に示される従来の流し台シンク装置は、奥ポケット部に、物品収納部材が配置される。奥ポケット部は、左右の側壁部に、側方に凹み、物品収納部材が収容される凹所が形成されている。凹所の後方を向く前壁面が、物品収納部材の前方への移動を規制する前規制部となっている。また、凹所の底段部の上面（特許文献１における段部８、特許文献２における段部２３）に物品収納部材の底部が載置されるものである。
【先行技術文献】
【特許文献】
【０００４】
【特許文献１】特開２００８−２９７８２４号公報
【特許文献２】特開２０１２−７３７８号公報
【発明の概要】
【発明が解決しようとする課題】
【０００５】
しかしながら、上記従来の流し台シンク装置にあっては、凹所の底段部の上面に大きな水滴やごみが載置され易く、使用者は、シンクを清掃するにあたって、底段部の上面をよく拭かなければならず、面倒なものであった。
【０００６】
本発明は上記従来の問題点に鑑みて発明したものであって、その目的とするところは、清掃が面倒となるのが抑えられる流し台シンク装置を提供することにある。
【課題を解決するための手段】
【０００７】
上記課題を解決するために、本発明の流し台シンク装置は、シンクを備え、前記シンクは、後壁部の一部が後方に凹み、この凹んだ部分に囲まれて前方および上方に開口する奥ポケット部を備え、前記奥ポケット部は、左右の側壁部の上端部に、フランジを有する物品収納部材の前記フランジが載置される被載置部を備え、前記奥ポケット部は、左右のいずれか一方または両方の前記側壁部に、側方に凹み、前記被載置部に前記フランジが載置された前記物品収納部材が収容される凹所を備え、前記凹所の後方を向く前壁面が、前記凹所に収容された前記物品収納部材の前方への移動を規制する前規制部を構成し、前記前壁面の下部が、上方を中心とする所定範囲を向くことなく前記側壁部に連続することを特徴とする。
【０００８】
また、前記奥ポケット部は、後方の奥壁部の上端部に、前記物品収納部材の前記フランジが載置される、前方および上方に解放される凹段部を備え、前記凹段部の奥面が、前記凹所に収容された前記物品収納部材の後方への移動を規制する後規制部を構成することが好ましい。
【０００９】
また、前記前壁面の前記下部が、下方へ行く程後方に位置する傾斜面を備え、前記傾斜面が、前記凹所に収容された前記物品収納部材の底部を支持する支持部を構成することが好ましい。
【発明の効果】
【００１０】
本発明にあっては、従来例の凹所の底段部の上面のような箇所を有しないため、清掃が面倒とならないものである。
【図面の簡単な説明】
【００１１】
【図１】本発明の一実施形態におけるシンクの断面図である。
【図２】同上の実施形態におけるシンクを示し、（ａ）は前斜め上方より見た斜視図であり、（ｂ）は後斜め上方より見た斜視図である。
【図３】同上の実施形態におけるシンクの平面図である。
【図４】同上の実施形態における物品収納部材の斜視図である。
【図５】同上の実施形態における物品収納部材が載置されたシンクの前斜め上方より見た斜視図である。
【図６】同上の実施形態における物品収納部材が載置されたシンクの要部を示し、（ａ）は前斜め上方より見た斜視図であり、（ｂ）は後斜め上方より見た斜視図である。
【発明を実施するための形態】
【００１２】
本発明の流し台シンク装置は、シンク１を備える。シンク１は、後壁部１１の一部が後方に凹み、この凹んだ部分に囲まれて前方および上方に開口する奥ポケット部２を備える。奥ポケット部２は、左右の側壁部２１の上端部に、フランジ４１を有する物品収納部材４のフランジ４１が載置される被載置部２２を備える。奥ポケット部２は、左右のいずれか一方または両方の側壁部２１に、側方に凹み、被載置部２２にフランジ４１が載置された物品収納部材４が収容される凹所３を備える。凹所３の前壁面３１が、凹所３に収容された物品収納部材４の前方への移動を規制する前規制部を構成し、前壁面３１の下部３１ａが、上方を中心とする所定範囲を向くことなく側壁部２１に連続することを特徴とする。
【００１３】
また、奥ポケット部２は、後方の奥壁部２３の上端部に、物品収納部材４のフランジ４１が載置される、前方および上方に解放される凹段部２４を備える。そして、凹段部２４の奥面２４ａが、凹所３に収容された物品収納部材４の後方への移動を規制する後規制部を構成することが好ましい。
【００１４】
また、前壁面３１の下部３１ａが、下方へ行く程後方に位置する傾斜面を備える。そして、前記傾斜面が、凹所３に収容された物品収納部材４の底部４２を支持する支持部を構成することが好ましい。
【００１５】
以下、本発明の一実施形態について添付図面に基いて説明する。
【００１６】
流し台シンク装置が備えるシンク１は、図１乃至図３に示すように、平面視略矩形状をした主シンク１０と、主シンク１０の後端部の一部から後方に凹む奥ポケット部２と、を備えている。以下の説明では、主シンク１０に対し、設計上、使用者が使用時に位置する方を前方とし、左右方向は、前方よりその反対の後方を見た時の左右方向として説明する。シンク１は、本実施形態では樹脂製であるが、金属や大理石や陶器等でもよく、特に限定されない。
【００１７】
主シンク１０は、図１乃至図３に示すように、後壁部１１と、前壁部１２と、左右の側壁部１３と、底壁部１４と、を備え、上方に開口するものである。本実施形態では、後壁部１１と前壁部１２と左右の側壁部１３とにより、平面視略矩形状をしているが、特に矩形状に限定されない。また、後壁部１１と側壁部１３、前壁部１２と側壁部１３との間には、Ｒが形成されているが、特に形成されていなくてもよい。
。そして、後壁部１１の一部（本実施形態では左右方向の中央部）後方に凹み、この凹んだ部分に囲まれて前方および上方に開口する部分が、奥ポケット部２となる。
【００１８】
奥ポケット部２は、図１乃至図３に示すように、左右の側壁部２１と、奥壁部２３と、主シンク１０の底壁部１４と連続する底壁部と、を備えている。本実施形態では、側壁部２１と奥壁部２３とにより、平面視略矩形状をしているが、特に矩形状に限定されない。また本実施形態では、奥ポケット部２の底壁部と主シンク１０の底壁部１４とに跨って排水口１５が設けられているが、排水口１５は、奥ポケット部２の底壁部のみ、または、主シンク１０の底壁部１４のみに設けられてもよい。
【００１９】
側壁部２１は、図１乃至図３に示すように、上端部に、図４に示す後述する物品収納部材４のフランジ４１が載置される被載置部２２を備える。本実施形態では、被載置部２２は、対向する側壁部２１の方および上方に解放される凹段部により構成される。
【００２０】
奥ポケット部２の奥壁部２３は、本実施形態では、図１乃至図３に示すように、上端部に、物品収納部材４のフランジ４１が載置される、前方および上方に解放される凹段部２４を備える。この凹段部２４が、フランジ４１が載置される被載置部となる。
【００２１】
なお、凹段部２４を設けることなく、シンク装置のカウンター面１ａを被載置部としてもよい。
【００２２】
物品収納部材４は、図４に示すように、上端部に収納物の出入れ用の開口を有する収納部本体４０を備える。収納部本体４０は、本実施形態では、底部４２および周囲の四側部が線材により構成される平面視矩形状をしたものであるが、線材ではなく板材や、あるいは線材と板材が組み合わされてもよく、構成部材は限定されず、また、形状も限定されない。
【００２３】
収納部本体４０の上端部には、収納部本体４０から外側に突出するフランジ４１が設けられる。本実施形態では、フランジ４１は平面視矩形状をした線材により構成されるが、線材ではなく板材や、あるいは線材と板材が組み合わされてもよく、構成部材は限定されず、また、形状も限定されない。
【００２４】
物品収納部材４は、図５、図６に示すように、フランジ４１が側壁部２１の被載置部２２に載置され、さらに奥壁部２３の凹段部２４に載置されて、支持される。このとき、図１に示すように、凹段部２４の奥面２４ａが、物品収納部材４の後方への移動を規制する後規制部を構成する。物品収納部材４の後側の金属製の線材の一部を覆う保護材４ａは、線材がシンク表面に傷をつけないように施したものである。
【００２５】
奥ポケット部２は、左右のいずれか一方または両方の側壁部２１に、物品収納部材４が収容される凹所３を備える。凹所３は、側壁部２１において、側方に凹み、被載置部２２にフランジ４１が載置された物品収納部材４の側端部が収容される。本実施形態では、凹所３の底面３０は、奥ポケット部２の奥壁部２３と連続しており、その間にＲが形成されているが、Ｒは形成されていなくてもよい。
【００２６】
図１乃至図３、図６（ｂ）に示すように、凹所３の前壁面３１が、凹所３に収容された物品収納部材４の前方への移動を規制する前規制部を構成する。この前規制部と上述した後規制部とで、物品収納部材４の前後の位置決めを行うことが可能である。
【００２７】
そして本発明では、前壁面３１の下部３１ａが、上方を中心とする所定範囲を向くことなく側壁部２１に連続するものである。ここで、上方を中心とする所定範囲を向くことがない、とは、前壁面３１の下部３１ａの法線方向が、鉛直の上方を中心とする所定範囲を向かず、前記所定範囲よりも下側を向くことを意味するものである。上方を中心とする所定範囲とは、面の法線方向がこの範囲にある場合、この面に、大きな水滴が載置されたり、食材の切れ端等のごみが載置され易くなる範囲をいう。これは、この面の材質等にもよるが、直上方を中心として３０°の範囲内であり、２０°、４０°の範囲内であってもよく、また、概ね２０°、３０°、４０°内としてもよい。本実施形態では、前壁面３１の下部３１ａが、下方へ行く程後方に位置する傾斜面を有している。この傾斜面は、上方を中心とする上記所定範囲を向くことがない。さらに詳述すると、本実施形態では、前壁面３１の下部３１ａが有する傾斜面は、断面が曲線となるように滑らかに変化しており、これにより、意匠性に優れたものとなる。
【００２８】
本発明においては、前壁面３１の下部３１ａが、上方を中心とする所定範囲を向くことない。すなわち、従来例の凹所３の底段部の上面のような、大きな水滴が載置されたり、食材の切れ端等のごみが載置され易い箇所がない。このため、汚れを含む大きな水滴や、汚れたごみが、従来例と比べて前壁面３１に付着し難く、前壁面３１に汚れがこびりついてしまい難いものである。
【００２９】
このため、使用者がシンクを清掃するにあたって、従来例の凹所３の底段部の上面のような汚れやすい箇所がないため、清掃が面倒とならず楽になるものである。
【００３０】
また、使用者がシンクを清掃するにあたって、凹所３を拭き掃除する際、底面３０および前壁面３１に沿って雑巾を上下に移動させて拭き掃除を行え、一方向の動作ですみ、従来例と比べて拭き掃除が楽に行えるものである。すなわち、従来例の場合、使用者は、雑巾を上下に移動させて前壁面３１の拭き掃除を行い、雑巾を前後に移動させて凹所３の底段部の上面の拭き掃除を行い、異なる方向の動作が必要となり、拭き掃除が面倒であった。これに対し、本発明にあっては、凹所３の底段部の上面のような箇所がないため、拭き掃除の際に異なる方向の動作が不要となるものである。
【００３１】
また本実施形態では、前壁面３１の下部３１ａが有する前記傾斜面が、凹所３に収容された物品収納部材４の底部４２を支持する支持部を構成している。これにより、従来例の凹所３の底段部の上面のような箇所を有することなく、物品収納部材４の底部４２を支持することが可能となり、物品収納部材４が安定して収納物を収納することが可能となる。
【符号の説明】
【００３２】
１    シンク
１０  主シンク
１１  後壁部
１２  前壁部
１３  側壁部
１４  底壁部
１５  排水口
２    奥ポケット部
２１  側壁部
２２  被載置部
２３  奥壁部
２４  凹段部
２４ａ  奥面
３    凹所
３０  底面
３１  前壁面
３１ａ  下部
４    物品収納部材
４０  収納部本体
４１  フランジ
４２  底部
【図１】
2015096153.tif 000003
【図２】
2015096153.tif 000004
【図３】
2015096153.tif 000005
【図４】
2015096153.tif 000006
【図５】
2015096153.tif 000007
【図６】
2015096153.tif 000008